【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示部を備え、前記可変表示部における識別情報の表示結果があらかじめ定められた特定表示結果となったときに、遊技者にとって有利な特定遊技状態に制御する遊技機であって、
前記特定表示結果とするか否かを、識別情報の表示結果が導出表示される以前に決定する事前決定手段と、
前記事前決定手段の決定結果にもとづいて、予め定められた順番に従って１段階から複数段階まで演出の態様を段階的に変化させる予告演出を実行可能で、前記特定表示結果とする場合は該特定表示結果としない場合よりも多い段階まで演出の態様を段階的に変化させる予告演出を実行する割合が高いステップアップ予告演出における演出の態様を決定する予告演出決定手段と、
前記予告演出決定手段により決定された前記ステップアップ予告演出を実行する予告演出実行手段とを備え、
前記ステップアップ予告演出は、第１ステップアップ予告演出と、該第１ステップアップ予告演出とは異なる第２ステップアップ予告演出とを含み、
前記予告演出実行手段は、前記ステップアップ予告演出として前記第１ステップアップ予告演出と前記第２ステップアップ予告演出とを可変表示中の同一期間に同時に実行可能であり、
前記予告演出決定手段は、前記第１ステップアップ予告演出における所定段階の予告演出が選択された場合に前記特定表示結果と非特定表示結果とのうち前記特定表示結果が導出表示される割合と、前記第２ステップアップ予告演出における前記所定段階と同一段階の予告演出が選択された場合に前記特定表示結果と前記非特定表示結果とのうち前記特定表示結果が導出表示される割合とが異なるように設定された予告演出決定用データを用いて、各々のステップアップ予告演出における演出の態様を決定する
ことを特徴とする遊技機。
【請求項２】
予告演出決定手段は、第１ステップアップ予告演出における一の段階の予告演出が選択された場合に特定表示結果と非特定表示結果とのうち前記特定表示結果が導出表示される割合よりも第２ステップアップ予告演出における前記一の段階と同一段階の予告演出が選択された場合に前記特定表示結果と前記非特定表示結果とのうち前記特定表示結果が導出表示される割合の方が高く、前記第２ステップアップ予告演出における前記一の段階とは異なる他の段階の予告演出が選択された場合に前記特定表示結果と前記非特定表示結果とのうち前記特定表示結果が導出表示される割合よりも前記第１ステップアップ予告演出における前記他の段階と同一段階の予告演出が選択された場合に前記特定表示結果と前記非特定表示結果とのうち前記特定表示結果が導出表示される割合の方が高くなるように設定された予告演出決定用データを用いて、各々のステップアップ予告演出における演出の態様を決定する
請求項１記載の遊技機。
【請求項３】
予告演出実行手段は、可変表示中における予め定められた異なるタイミングで、第１ステップアップ予告演出および第２ステップアップ予告演出における予告演出の態様を段階的に変化させる制御を実行する
請求項１または請求項２記載の遊技機。
【請求項４】
予告演出実行手段は、可変表示中における予め定められた同一のタイミングで、第１ステップアップ予告演出および第２ステップアップ予告演出における予告演出の態様を段階的に変化させる制御を実行する
請求項１または請求項２記載の遊技機。
【請求項５】
予告演出決定手段は、第１ステップアップ予告演出における演出の態様と第２ステップアップ予告演出における演出の態様との組み合わせが複数設定されたテーブルを用いて、各々のステップアップ予告演出における演出の態様を決定する
請求項１から請求項４のうちのいずれかに記載の遊技機。
【請求項６】
事前決定手段によって特定表示結果としない旨の決定がなされたことにもとづいて、識別情報の可変表示状態を所定のリーチ状態とするか否かを決定するリーチ決定手段と、
前記事前決定手段の決定結果または前記リーチ決定手段による決定結果の少なくとも一方に基づいて、前記識別情報の変動パターン種別を複数種類のいずれかに決定する変動パターン種別決定手段と、
前記変動パターン種別決定手段により決定された変動パターン種別に含まれる変動パターンの中から前記識別情報の変動パターンを決定する変動パターン決定手段と、
前記変動パターン決定手段の決定結果に対応して、前記識別情報の可変表示中に当該識別情報の可変表示を含む演出動作を実行する演出動作実行手段とを備えた
請求項１から請求項５のうちのいずれかに記載の遊技機。
【手続補正２】
【補正対象書類名】明細書
【補正対象項目名】００１３
【補正方法】変更
【補正の内容】
【００１３】
本発明による遊技機は、各々を識別可能な複数種類の識別情報（例えば、第１特別図柄、第２特別図柄、演出図柄）を可変表示する可変表示部（例えば、第１特別図柄表示器８ａ、第２特別図柄表示器８ｂ、演出表示装置９）を備え、可変表示部における識別情報の表示結果があらかじめ定められた特定表示結果（例えば大当り図柄）となったときに、遊技者にとって有利な特定遊技状態（例えば大当り遊技状態）に制御する遊技機であって、特定表示結果とするか否かを、識別情報の表示結果が導出表示される以前に決定する事前決定手段（例えば、遊技制御用マイクロコンピュータ５６０におけるステップＳ６１の処理を実行する部分）と、事前決定手段の決定結果にもとづいて、予め定められた順番に従って１段階から複数段階まで演出の態様を段階的に変化させる予告演出（例えば、予告演出Ａ〜Ｅ、予告演出Ｗ，Ｘ，Ｙ１〜Ｙ３，Ｚ１〜Ｚ３）を実行可能で、特定表示結果とする場合は該特定表示結果としない場合よりも多い段階まで演出の態様を段階的に変化させる予告演出を実行する割合が高いステップアップ予告演出（例えば、第１ステップアップ予告演出、第２ステップアップ予告演出）における演出の態様を決定する予告演出決定手段（例えば、演出制御用マイクロコンピュータ１００におけるステップＳ５１８Ａの処理を実行する部分）と、予告演出決定手段により決定されたステップアップ予告演出を実行する予告演出実行手段（例えば、演出制御用マイクロコンピュータ１００におけるステップＳ８４６〜Ｓ８５５の処理を実行する部分）とを備え、ステップアップ予告演出は、第１ステップアップ予告演出（例えば、予告演出Ａ，Ｂ，Ｃ，Ｄ，Ｅを実行可能な第１ステップアップ予告演出：図６４参照）と、該第１ステップアップ予告演出とは異なる第２ステップアップ予告演出（例えば、予告演出Ｗ，Ｘ，Ｙ１〜Ｙ３，Ｚ１〜Ｚ３を実行可能な第２ステップアップ予告演出：図６４参照）とを含み、予告演出実行手段は、ステップアップ予告演出として第１ステップアップ予告演出と第２ステップアップ予告演出とを可変表示中の同一期間に同時に実行可能であり、予告演出決定手段は、第１ステップアップ予告演出における所定段階の予告演出が選択された場合に特定表示結果と非特定表示結果とのうち特定表示結果が導出表示される割合（例えば、実施の形態１の場合、図７１に示すように、第１段階の予告演出Ａの信頼度「０．３３００３％」、第２段階の予告演出Ｂの信頼度「０．８１０９４％」、第３段階の予告演出Ｃの信頼度「１．５１６５４％」、第４段階の予告演出Ｄの信頼度「２．３５５４７％」、実施の形態２の場合、図１０２に示すように、第１段階の予告演出Ａの信頼度「０．２２０２６％」、第２段階の予告演出Ｂの信頼度「０．５７４３６％」、第３段階の予告演出Ｃの信頼度「２．９８７７７％」、第４段階の予告演出Ｄの信頼度「６．７４８４７％」）と、第２ステップアップ予告演出における所定段階と同一段階の予告演出が選択された場合に特定表示結果と非特定表示結果とのうち特定表示結果が導出表示される割合（例えば、実施の形態１の場合、図７３に示すように、第１段階の予告演出Ｗの信頼度「０．００８４０％」、第２段階の予告演出Ｘの信頼度「０．０６９７４％」、第３段階の予告演出Ｙの信頼度「０．１０７９９％」、第４段階の予告演出Ｚの信頼度「４．７８９２％」、実施の形態２の場合、図１０４に示すように、第１段階の予告演出Ｘの信頼度「０．０２６２５％」、第２段階の予告演出Ｙの信頼度「０．１１９４５％」、第３段階の予告演出Ｚの信頼度「１．１３７２０％」や「３．５４２８０％」）とが異なるように設定された予告演出決定用データ（例えば、実施の形態１の場合、図７０に示す第１予告設定テーブルと図７２に示す第２予告設定テーブル、実施の形態２の場合、図１０１に示す第１予告設定テーブルと図１０３に示す第２予告設定テーブル）を用いて、各々のステップアップ予告演出における演出の態様を決定することを特徴とする。
【手続補正３】
【補正対象書類名】明細書
【補正対象項目名】００１４
【補正方法】変更
【補正の内容】
【００１４】
予告演出決定手段は、第１ステップアップ予告演出における一の段階（例えば第４段階）の予告演出が選択された場合に特定表示結果と非特定表示結果とのうち特定表示結果が導出表示される割合（例えば、図７１に示す第４段階の予告演出Ｄの信頼度「２．３５５４７％」）よりも第２ステップアップ予告演出における一の段階と同一段階の予告演出が選択された場合に特定表示結果と非特定表示結果とのうち特定表示結果が導出表示される割合（例えば、図７３に示す第４段階の予告演出Ｚの信頼度「４．７８９２％」）の方が高く、第２ステップアップ予告演出における一の段階とは異なる他の段階（例えば第３段階）の予告演出が選択された場合に特定表示結果と非特定表示結果とのうち特定表示結果が導出表示される割合（例えば、図７３に示す第３段階の予告演出Ｙの信頼度「０．１０７９９％」）よりも第１ステップアップ予告演出における他の段階と同一段階の予告演出が選択された場合に特定表示結果と非特定表示結果とのうち特定表示結果が導出表示される割合（例えば、図７１に示す第３段階の予告演出Ｃの信頼度「１．５１６５４％」）の方が高くなるように設定された予告演出決定用データ（例えば、図７０に示す第１予告設定テーブルと図７２に示す第２予告設定テーブル）を用いて、各々のステップアップ予告演出における演出の態様を決定するように構成されていてもよい。
【手続補正４】
【補正対象書類名】明細書
【補正対象項目名】００１９
【補正方法】変更
【補正の内容】
【００１９】
請求項１記載の発明では、予告演出実行手段が、ステップアップ予告演出として第１ステップアップ予告演出と第２ステップアップ予告演出とを可変表示中の同一期間に同時に実行可能であり、予告演出決定手段が、第１ステップアップ予告演出における所定段階の予告演出が選択された場合に特定表示結果と非特定表示結果とのうち特定表示結果が導出表示される割合と、第２ステップアップ予告演出における所定段階と同一段階の予告演出が選択された場合に特定表示結果と非特定表示結果とのうち特定表示結果が導出表示される割合とが異なるように設定された予告演出決定用データを用いて、各々のステップアップ予告演出における演出の態様を決定するように構成されているので、複数系統のステップアップ予告演出（第１ステップアップ予告演出、第２ステップアップ予告演出）を同時に実行して遊技の興趣の向上を図ることができ、さらに、複数系統のステップアップ予告演出における同一段階（同一ステップ）の予告演出に対する特定表示結果の発生の信頼度が異なるため、各ステップアップ予告演出に対する期待度が異なり、遊技の興趣の一層の向上を図ることができる。
【手続補正５】
【補正対象書類名】明細書
【補正対象項目名】００２０
【補正方法】変更
【補正の内容】
【００２０】
請求項２記載の発明では、予告演出決定手段が、第１ステップアップ予告演出における一の段階の予告演出が選択された場合に特定表示結果と非特定表示結果とのうち特定表示結果が導出表示される割合よりも第２ステップアップ予告演出における一の段階と同一段階の予告演出が選択された場合に特定表示結果と非特定表示結果とのうち特定表示結果が導出表示される割合の方が高く、第２ステップアップ予告演出における一の段階とは異なる他の段階の予告演出が選択された場合に特定表示結果と非特定表示結果とのうち特定表示結果が導出表示される割合よりも第１ステップアップ予告演出における他の段階と同一段階の予告演出が選択された場合に特定表示結果と非特定表示結果とのうち特定表示結果が導出表示される割合の方が高くなるように設定された予告演出決定用データを用いて、各々のステップアップ予告演出における演出の態様を決定するように構成されているので、段階（ステップ数）によって特定表示結果の発生の信頼度の高くなるステップアップ予告演出が変化することになり、遊技者にいずれのステップアップ予告演出がどの段階まで実行されたかに興味を持たせ、より一層の面白みを感じさせることができる。